(57)【要約】    【課題】  キャブチルト機構を大幅に簡略化する。    【解決手段】  梯子型フレーム１６を構成する左右のサイドレール１６Ａに夫々固定された一対のチルトヒンジブラケット１８と、チルトヒンジブラケット１８に回動可能に軸支されたヒンジシャフト１４と、ヒンジシャフト１４とキャブ１０とを一体的に連結するキャブマウントブラケット１２と、ヒンジシャフト１４の一端部に固定されつつ車両後方へと延び、その先端部２０Ｂに車載ジャッキ２２が着脱可能にピン結合されるレバー２０と、サイドレール１６Ａに揺動可能に固定され、車載ジャッキ２２が着脱可能に載置されるジャッキ載置部材２６と、を含んでキャブチルト装置を構成する。このようにすれば、トーションバーや油圧シリンダを用いなくとも、タイヤ交換などで使用する車載ジャッキ２２を流用してキャブ１０をチルトアップさせることができ、キャブチルト機構を大幅に簡略化させることができる。【選択図】  図２
2006182071.tif 000002
【特許請求の範囲】
【請求項１】
フレームの左右に夫々固定された一対のチルトヒンジブラケットと、
前記チルトヒンジブラケットに回動可能に軸支されたヒンジシャフトと、
前記ヒンジシャフトとキャブとを一体的に連結するキャブマウントブラケットと、
前記ヒンジシャフトの一端部に固定されつつ車両後方へと延び、その先端部に車載ジャッキが着脱可能にピン結合されるレバーと、
前記フレームに揺動可能に固定され、前記車載ジャッキが着脱可能に載置されるジャッキ載置部材と、
を含んで構成されたことを特徴とするキャブチルト装置。
【請求項２】
前記ジャッキ載置部材は、前記フレームから車幅外方へと延びるピンに嵌合固定されたことを特徴とする請求項１記載のキャブチルト装置。
【請求項３】
前記ジャッキ載置部材は、前記ピンに対して着脱可能であることを特徴とする請求項２記載のキャブチルト装置。
【請求項４】
前記ピンは、前記フレームに締結されたブラケットに固定されたことを特徴とする請求項２又は請求項３に記載のキャブチルト装置。
【請求項５】
前記ジャッキ載置部材は、前記フレームの車幅外方に配設されたことを特徴とする請求項１〜請求項４のいずれか１つに記載のキャブチルト装置。
【請求項６】
前記ジャッキ載置部材は、前記フレームの上方に配設されたことを特徴とする請求項１〜請求項４のいずれか１つに記載のキャブチルト装置。
【請求項７】
前記ヒンジシャフトは、弾性部材を介してチルトヒンジブラケットに回動可能に軸支されたことを特徴とする請求項１〜請求項６のいずれか１つに記載のキャブチルト装置。
【発明の詳細な説明】
【技術分野】
【０００１】
本発明は、キャブチルト装置において、キャブチルト機構を大幅に簡略化する技術に関する。
【背景技術】
【０００２】
キャブ下方にエンジンルームが位置するキャブオーバ型車両には、「三菱ふそう  キャンター  FB．FD．FE．FF．FG  シャシーGr31〜55  整備解説書」（非特許文献１）に記載されるように、エンジン整備性向上のため、キャブをチルトアップさせるキャブチルト装置が備えられているものがある。キャブチルト機構としては、大別すると、トーションバーや油圧シリンダを用いたものがある。
【非特許文献１】「三菱ふそう  キャンター  FB．FD．FE．FF．FG  シャシーGr31〜55  整備解説書」，三菱自動車，２００２年６月，Ｐ．42-3，42-8，42-24
【発明の開示】
【発明が解決しようとする課題】
【０００３】
しかしながら、一般的な車両ユーザは、潤滑油量，冷却水量などの簡単な日常点検を行うものの、キャブをチルトアップさせてエンジン整備を行うことは稀であり、キャブチルト装置を使用する機会があまりないのが実情であった。そして、トーションバーや油圧シリンダを用いたキャブチルト装置は、その機構が複雑であることから高価かつ重量が嵩み、車両価格の高騰及び走行性能の低下などを来してしまうおそれがあった。なお、キャブチルト装置を廃止することも一案であるが、例えば、路上でエンジン故障が発生したときに、その故障現場でキャブをチルトアップさせる必要があるため、その案を採用することが困難である。
【０００４】
そこで、本発明は以上のような従来の問題点に鑑み、車両に装備されている車載ジャッキを活用してキャブをチルトアップさせることで、キャブチルト機構を大幅に簡略化し、コスト及び重量低減などを可能としたキャブチルト装置を提供することを目的とする。
【課題を解決するための手段】
【０００５】
このため、本発明に係るキャブチルト装置では、フレームの左右に夫々固定された一対のチルトヒンジブラケットと、チルトヒンジブラケットに回動可能に軸支されたヒンジシャフトと、ヒンジシャフトとキャブとを一体的に連結するキャブマウントブラケットと、ヒンジシャフトの一端部に固定されつつ車両後方へと延び、その先端部に車載ジャッキが着脱可能にピン結合されるレバーと、フレームに揺動可能に固定され、車載ジャッキが着脱可能に載置されるジャッキ載置部材と、を含んで構成されたことを特徴とする。
【０００６】
ここで、ジャッキ載置部材は、フレームから車幅外方へと延びるピンに嵌合固定すればよい。この場合、キャブチルト装置を使用しないとき、走行振動によりジャッキ載置部材が揺れ動いて異音が発生することを防止すべく、ジャッキ載置部材は、ピンに対して着脱可能であることが望ましい。また、車両レイアウトに応じてピンの配設位置を容易に変更可能とすべく、ピンは、フレームに締結されたブラケットに固定されることが望ましい。
【０００７】
さらに、ジャッキ載置部材は、車両レイアウトに応じて、フレームの車幅外方又は上方に配設することができる。そして、ジャッキ載置部材をフレームの上方に配設したときには、キャブの重量がジャッキ載置部材を介してフレームの上面に作用するため、ジャッキ載置部材の固定強度を向上させることができる。
その他、ヒンジシャフトは、弾性部材を介してチルトヒンジブラケットに回動可能に軸支させるとよい。このようにすれば、シャーシとキャブとの間の金属接触を廃止することができ、弾性部材の特性を活かして乗心地を向上させることができる。
【発明の効果】
【０００８】
本発明に係るキャブチルト装置によれば、キャブをチルトアップさせるときには、ジャッキ載置部材に車載ジャッキを載置すると共に、レバーの先端部に車載ジャッキをピン結合する。そして、車載工具を用いて車載ジャッキを突出させると、レバーの回動に伴ってヒンジシャフトが回動し、キャブマウントブラケットを介してキャブがチルトアップされる。従って、トーションバーや油圧シリンダを用いなくとも、タイヤ交換などで使用する車載ジャッキを流用してキャブをチルトアップさせることができる。このため、高価かつ重量が嵩むトーションバーなどが不要となり、キャブチルト機構が大幅に簡略化されることから、コスト低減のみならず、重量軽減による走行性能，燃費の向上なども期待できる。
【発明を実施するための最良の形態】
【０００９】
以下、添付された図面を参照して本発明を詳述する。
図１及び図２は、本発明に係るキャブチルト装置を示す。
キャブ１０の前方下面には、車幅方向に所定間隔を隔てて配設される２つのキャブマウントブラケット１２を介して、略円柱形状をなすヒンジシャフト１４が固定される。ヒンジシャフト１４の両端部は、弾性部材としてのラバーブッシュ（図示せず）を介して、梯子型フレーム１６を構成する各サイドレール１６Ａの上面に固定された左右一対のチルトヒンジブラケット１８に回動可能に軸支される。ヒンジシャフト１４の一端部は、チルトヒンジブラケット１８より車幅外方へと突出し、その先端に車両後方へと延びるレバー２０の基端部２０Ａが一体的に固定される。また、レバー２０の先端部２０Ｂには、車載ジャッキ２２のクレビス２２Ａと着脱可能にピン結合すべく、ピン２４が挿通される挿通孔が開設される。
【００１０】
一方、サイドレール１６Ａの側面には、車載ジャッキ２２の基端部２２Ｂを載置すべく、上方に開口した略薄型箱形状のジャッキ載置部材２６が揺動可能に固定される。ジャッキ載置部材２６は、具体的には、略正方形形状を有する底板２６Ａと、底板２６Ａの外縁全周から上方へと立ち上がる側板２６Ｂと、底板２６Ａの下面に固定された略クレビス形状をなす連結板２６Ｃと、を含んで構成される。そして、連結板２６Ｃは、サイドレール１６Ａに固定された車幅外方へと延びるピン２８に嵌合固定される。
【００１１】
かかるキャブチルト装置によれば、キャブ１０をチルトアップするときには、ジャッキ載置部材２６の底板２６Ａに車載ジャッキ２２を載置すると共に、ピン２４を介してクレビス２２Ａをレバー２０の先端部２０Ｂにピン結合する。そして、図示しない車載工具を用いて車載ジャッキ２２のクレビス２２Ａを図中上方へと突出させると、図３に示すように、レバー２０の回動に伴ってヒンジシャフト１４が回動し、キャブマウントブラケット１２を介してキャブ１０がチルトアップされる。
【００１２】
従って、トーションバーや油圧シリンダを用いなくとも、タイヤ交換などで使用する車載ジャッキ２２を流用してキャブ１０をチルトアップさせることができる。このため、高価かつ重量が嵩むトーションバーなどが不要となり、キャブチルト機構が大幅に簡略化されることから、コスト低減のみならず、重量軽減による走行性能，燃費の向上などが期待できる。
【００１３】
また、ジャッキ載置部材２６を揺動可能に固定する構造として、図４に示すように、サイドレール１６Ａの側面及び下面に、ボルトなどの締結部材３０を介して、サイドレール１６Ａの側面に沿った板面から車幅外方へとピン２８が延びる略Ｔ字形状をなすブラケット３２を締結し、そのピン２８に連結板２６Ｃを着脱可能に嵌合固定することが望ましい。このようにすれば、キャブチルト装置を使用しないとき、ジャッキ載置部材２６を取り外すことが可能であるので、例えば、走行振動によりこれが揺れ動いて異音が発生することを防止できる。なお、ピン２８を中心としたジャッキ載置部材２６の回動範囲を制限すべく、ブラケット３２に、ジャッキ載置部材２６が所定角度以上傾いたときにその連結板２６Ｃと当接するリブを設けるようにしてもよい。
【００１４】
さらに、ヒンジシャフト１４とチルトヒンジブラケット１８との間にラバーブッシュが介装されているため、梯子型フレーム１６を含むシャーシとキャブ１０との間の金属接触を廃止することができ、ラバーの特性を活かして乗心地を向上させることもできる。
なお、ジャッキ載置部材２６は、図５に示すように、サイドレール１６Ａを跨いで揺動可能に固定してもよい。この場合、ジャッキ載置部材２６の連結板２６Ｃには、下方に開口した切欠部２６Ｄが形成される一方、サイドレール１６Ａには、その両側面から車幅外方へと夫々延びるピン３４が連結された略コ字断面形状をなすブラケット３６を締結すればよい。このようにすれば、キャブ１０の重量は、ジャッキ載置部材２６を介してサイドレール１６Ａの上面に作用するため、ジャッキ載置部材２６の固定強度を向上させることができる。
【図面の簡単な説明】
【００１５】
【図１】本発明に係るキャブチルト装置の平面図
【図２】本発明に係るキャブチルト装置の正面拡大図
【図３】キャブをチルトアップさせる作用の説明図
【図４】ジャッキ載置部材をフレームに固定する第１実施例の説明図
【図５】ジャッキ載置部材をフレームに固定する第２実施例の説明図
【符号の説明】
【００１６】
１０    キャブ
１２    キャブマウントブラケット
１４    ヒンジシャフト
１６    梯子型フレーム
１６Ａ  サイドレール
１８    チルトヒンジブラケット
２０    レバー
２０Ａ  基端部
２０Ｂ  先端部
２２    車載ジャッキ
２２Ａ  クレビス
２２Ｂ  基端部
２４    ピン
２６    ジャッキ載置部材
２８    ピン
３０    締結部材
３２    ブラケット
３４    ピン
３６    ブラケット
【図１】
2006182071.tif 000003
【図２】
2006182071.tif 000004
【図３】
2006182071.tif 000005
【図４】
2006182071.tif 000006
【図５】
2006182071.tif 000007